(57)【特許請求の範囲】
【請求項１】
処理部、パッケージ番組情報格納部、及び記憶装置を有するコンピュータにより実行される広告付き完全パッケージ番組提供方法であって、
前記処理部により、放送用番組の識別情報を前記パッケージ番組情報格納部に登録するステップと、
前記処理部により、第１の広告主が選択した任意の放送用番組の識別情報に対応して前記第１の広告主により特定された放送地域情報と放送期間情報と第１の広告に関する情報と広告付き完全パッケージ番組の識別情報とを前記パッケージ番組情報格納部に登録することにより、広告付き完全パッケージ番組を構成するステップと、
前記処理部により、少なくとも前記広告付き完全パッケージ番組の識別情報と第１の放送局の識別情報と第１の放送予定時間に関する情報とを含む配信要求を受信し、前記記憶装置に格納するステップと、
前記処理部により、前記記憶装置に格納された前記第１の放送予定時間に関する情報が前記記憶装置に格納された前記広告付き完全パッケージ番組の識別情報に対応して前記パッケージ番組情報格納部に登録された前記放送期間情報に一致するか又は包含され、且つ前記記憶装置に格納された前記第１の放送局の識別情報により特定される前記第１の放送局の放送地域が前記記憶装置に格納された前記広告付き完全パッケージ番組の識別情報に対応して前記パッケージ番組情報格納部に登録された前記放送地域情報に一致するか又は包含されるという条件を含む、放送地域及び放送期間に関する条件を満たしているか判断する判断ステップと、
前記判断ステップにおいて前記条件が満たされていると判断された場合には、前記配信要求において指定された前記第１の放送局に対する、前記配信要求において指定された前記広告付き完全パッケージ番組の提供を決定したことを示す情報として、前記処理部により、前記記憶装置に格納された前記広告付き完全パッケージ番組の識別情報に対応して前記記憶装置に格納された前記第１の放送予定時間に関する情報と前記第１の放送局の放送地域を特定するための情報とを前記パッケージ番組情報格納部に登録する配信登録ステップと、
を含む広告付き完全パッケージ番組提供方法。
【請求項２】
前記放送地域及び放送期間に関する条件が、
前記記憶装置に格納された前記広告付き完全パッケージ番組の識別番号に対応して前記パッケージ番組情報格納部に第２の放送局の放送地域を特定するための情報と当該第２の放送局による第２の放送予定時間に関する情報とが既に登録されている場合、前記記憶装置に格納された前記第１の放送予定時間に関する情報が前記第２の放送予定時間から所定期間内の日時を示すものではなく、且つ前記第１の放送局の放送地域と前記第２の放送局の放送地域とが重複しないという条件
をさらに含む請求項１記載の広告付き完全パッケージ番組提供方法。
【請求項３】
前記コンピュータが、広告枠データ格納部をさらに有し、
前記広告付き完全パッケージ番組提供方法が、
前記処理部により、放送局の番組枠に対応して設けられる広告枠の識別情報と当該番組枠の放送予定時間に関する情報と当該番組枠の放送地域を特定するための情報とを前記広告枠データ格納部に登録するステップと、
前記処理部により、第２の広告主が選択した任意の広告枠の識別情報に対応して当該第２の広告主による第２の広告の識別情報を前記広告枠データ格納部に登録するステップと、
前記処理部により、前記第２の広告主が選択した任意の広告枠に係る番組枠の放送予定時間に関する情報及び当該番組枠の放送地域を特定するための情報に対応して前記パッケージ番組情報格納部に登録されている広告付き完全パッケージ番組の識別情報を特定し、当該広告付き完全パッケージ番組の識別情報に対応して前記パッケージ番組情報格納部に登録されている放送用番組の識別情報及び第１の広告に関する情報を特定し、当該放送用番組の識別情報により特定される放送用番組のコンテンツ情報及び当該第１の広告に関する情報により特定される第１の広告のコンテンツ情報を、前記第２の広告主が選択した任意の広告枠に係る番組枠から特定される放送局のコンピュータに送信するステップと、
前記処理部により、前記第２の広告主が選択した任意の広告枠の識別情報に対応して前記広告枠データ格納部に登録されている前記第２の広告の識別情報を特定し、当該第２の広告の識別情報により特定される前記第２の広告のコンテンツ情報を、前記第２の広告主が選択した任意の広告枠に係る番組枠から特定される放送局のコンピュータに送信するステップと、
をさらに含む請求項１又は２記載の広告付き完全パッケージ番組提供方法。
【請求項４】
処理部、放送部、及び記憶装置を有する放送コンピュータにおいて実行される広告付き完全パッケージ番組利用方法であって、
前記処理部により、放送用番組及び広告が組み合わされた広告付き完全パッケージ番組の識別情報と放送局の識別情報と放送予定時間に関する情報とを含む配信要求を、前記広告付き完全パッケージ番組を提供する番組配信コンピュータに送信するステップと、
前記広告付き完全パッケージ番組が配信可能であれば、前記処理部により、前記番組配信コンピュータから、前記配信要求で指定された広告付き完全パッケージ番組に係る前記放送用番組のコンテンツ情報に、対応する前記広告のコンテンツ情報が挿入された放送用情報を受信し、前記記憶装置に格納するステップと、
前記放送部により、前記記憶装置に格納された前記放送用情報を放送するステップと、
を含む広告付き完全パッケージ番組利用方法。
【請求項５】
パッケージ番組情報格納部及び記憶装置を有するコンピュータに
放送用番組の識別情報を前記パッケージ番組情報格納部に登録するステップと、
第１の広告主が選択した任意の放送用番組の識別情報に対応して前記第１の広告主により特定された放送地域情報と放送期間情報と第１の広告に関する情報と広告付き完全パッケージ番組の識別情報とを前記パッケージ番組情報格納部に登録することにより、広告付き完全パッケージ番組を構成するステップと、
少なくとも前記広告付き完全パッケージ番組の識別情報と第１の放送局の識別情報と第１の放送予定時間に関する情報とを含む配信要求を受信し、前記記憶装置に格納するステップと、
前記記憶装置に格納された前記第１の放送予定時間に関する情報が前記記憶装置に格納された前記広告付き完全パッケージ番組の識別情報に対応して前記パッケージ番組情報格納部に登録された前記放送期間情報に一致するか又は包含され、且つ前記記憶装置に格納された前記第１の放送局の識別情報により特定される前記第１の放送局の放送地域が前記記憶装置に格納された前記広告付き完全パッケージ番組の識別情報に対応して前記パッケージ番組情報格納部に登録された前記放送地域情報に一致するか又は包含されるという条件を含む、放送地域及び放送期間に関する条件を満たしているか判断する判断ステップと、
前記判断ステップにおいて前記条件が満たされていると判断された場合には、前記配信要求において指定された前記第１の放送局に対する、前記配信要求において指定された前記広告付き完全パッケージ番組の提供を決定したことを示す情報として、前記記憶装置に格納された前記広告付き完全パッケージ番組の識別情報に対応して前記記憶装置に格納された前記第１の放送予定時間に関する情報と前記第１の放送局の放送地域を特定するための情報とを前記パッケージ番組情報格納部に登録する配信登録ステップと、
を実行させるためのプログラム。
【発明の詳細な説明】
【０００１】
【発明が属する技術分野】
本発明は、放送用コンテンツの流通技術に関する。
【０００２】
【従来の技術】
従来、放送局は図１１に示すような形で放送を行っていた。すなわち、放送局３０００は、番組コンテンツ１１００を有するコンテンツホルダ１０００、すなわち、番組制作会社など、番組用のコンテンツデータを保有している企業等から、番組コンテンツ１１００の使用権を購入することにより（ステップ（１））、番組コンテンツ１１００を入手する（ステップ（２））。また、放送局３０００は、当該番組コンテンツ１１００を放送する番組に設定された広告枠を広告主２０００に販売し（ステップ（３））、広告コンテンツ２１００を入手する（ステップ（４））。放送局は、番組コンテンツ１１００と広告コンテンツ２１００をミキシングして、例えば５０分の番組コンテンツ１１００と合計１０分の広告コンテンツ２１００をミキシングして１時間放送用の番組パッケージを生成し（ステップ（５））、アンテナ３１００から番組コンテンツ１１００及び広告コンテンツ２１００を放送する（ステップ（６））。なお、ミキシングして放送又は配信する技術は、例えばＷＯ９４／１４２８０やＷＯ９５／１５６５７の公報に記載されている。そうすると、視聴者宅４０００では、アンテナ４１００を介して番組コンテンツ１１００及び広告コンテンツ２１００を受信し、ディジタル放送受信機４２００にて番組コンテンツ１１００及び広告コンテンツ２１００を再生する。なお、広告主２０００ではなく、広告代理店に対して広告枠を販売するような場合もある。図１１を用いて説明したように、放送局では番組コンテンツの入手、広告枠の販売は人手を介して行われていた。
【０００３】
【発明が解決しようとする課題】
ところで、放送のディジタル化と共に多チャンネル化が進展しつつある。しかし、番組コンテンツや広告の量の増加はそれほど見込めないため、従来のままでは各放送局は番組コンテンツや広告を必要なだけ調達できなくなる恐れがある。
【０００４】
よって本発明の目的は、放送局が放送用番組と広告とから構成される広告付き完全パッケージ番組を簡単に調達できるようにするための技術を提供することである。
【０００５】
【課題を解決するための手段】
本発明の第１の態様に係り且つ例えばコンテンツ流通センタにより実施される広告付き完全パッケージ番組提供方法は、放送用番組を登録するステップと、広告主が選択した任意の放送用番組に対応して広告主により特定された放送地域情報と放送期間情報と広告に関する情報とを登録することにより、広告付き完全パッケージ番組を構成するステップと、少なくとも広告付き完全パッケージ番組の識別情報と放送局の識別情報と放送予定時間に関する情報とを含む配信要求を受け取った場合に、当該配信要求が放送地域及び放送期間に関する条件を満たしているか判断する判断ステップと、判断ステップにおいて上記条件が満たされていると判断された場合には、配信要求において指定された放送局に対する、配信要求において指定された広告付き完全パッケージ番組の提供を決定するステップとを含む。
【０００６】
このようにコンテンツ流通センタにおいて放送用番組と広告とが組み合わされた広告付き完全パッケージ番組が用意されており、放送地域及び放送期間に関する条件を満たしていると判断された場合には放送局は広告付き完全パッケージ番組の提供を受けることができるようになる。すなわち、放送局は簡単に広告及び放送用番組を取得することができるようになる。
【０００７】
例えば、広告主に選択された場合に使用料が支払われる条件でコンテンツホルダは放送用番組を登録する。また、広告主は任意の放送用番組を選択し、それに対応して放送地域情報と放送期間情報と広告に関する情報とを有償で登録することにより、広告付き完全パッケージ番組を構成する。一方、少なくとも広告付き完全パッケージ番組の識別情報と放送局の識別情報と放送予定時間に関する情報とを含む配信要求を例えば放送局から受け取った場合に、当該配信要求が放送地域及び放送期間に関する条件を満たしているか判断する。もし、上記条件が満たされていると判断された場合には、配信要求において指定された放送局に対し、配信要求において指定された広告付き完全パッケージ番組を無償で提供する。
【０００８】
なお、上で述べた放送地域及び放送期間に関する条件が、配信要求に含まれる放送予定時間に関する情報が配信要求において指定された広告付き完全パッケージ番組に対応して登録された放送期間情報に対して矛盾せず、且つ配信要求に係る放送局の放送地域が配信要求において指定された広告付き完全パッケージ番組に対応して登録された放送地域情報に対して矛盾しないという条件である場合もある。
【０００９】
このような条件を満たさない場合には、広告つきパッケージ番組として放送を意図されたものではないためである。
【００１０】
また、上で述べた放送地域及び放送期間に関する条件が、配信要求において指定された広告付き完全パッケージ番組に対して既に提供が決定されている先行配信要求が存在する場合、当該先行配信要求に係る放送予定時間及び放送局の放送地域と配信要求に係る放送予定時間及び放送局の放送地域とにコンフリクトが生じていないという条件である場合もある。同じような放送地域に同じような放送予定が組まれるのを防止するためである。
【００１１】
本発明の第２の態様に係り且つ放送局において実施される広告付き完全パッケージ番組利用方法は、放送用番組と広告が組み合わされた広告付き完全パッケージ番組の識別情報と放送局の識別情報と放送予定時間に関する情報とを含む配信要求を、広告付き完全パッケージ番組を提供するコンピュータに送信するステップと、広告付き完全パッケージ番組が配信可能であれば、コンピュータから、配信要求に係る広告付き完全パッケージ番組に係る放送用番組のコンテンツ情報に、対応する広告のコンテンツ情報が挿入された放送用情報を受信するステップと、放送用情報を放送するステップとを含む。
【００１２】
このように放送局では、放送用番組のコンテンツ情報に、対応する広告のコンテンツ情報が挿入された放送用情報を取得し、それを放送することができるようになる。
【００１３】
なお、上述の処理方法はコンピュータ・ハードウエアに専用のプログラムをインストールすることによっても実現可能である。この場合、このプログラムは、例えばフレキシブルディスク、ＣＤ−ＲＯＭ、光磁気ディスク、半導体メモリ、ハードディスク等の記憶媒体又は記憶装置に格納される。また、ネットワークなどを介して配布される場合もある。尚、中間的な処理結果はメモリに一時保管される。
【００１４】
【発明の実施の形態】
本発明の一実施の形態を理解し易くするため、図１乃至図３を用いてビジネスモデルの概要を説明する。本実施の形態では、コンテンツ流通センタ１００を新たに設ける。コンテンツ流通センタ１００は、コンテンツホルダ２００による番組コンテンツ２１０の登録を受け付ける（ステップ（１１））。但し、登録を行う段階では対価の支払いは無い。また、コンテンツ流通センタ１００は、登録された番組コンテンツ２１０の使用権を広告主に対して販売する。ここでは広告主Ａ（３００）が番組コンテンツ２１０の使用権を購入し、当該番組コンテンツ２１０と共に放送される広告コンテンツ３１０をコンテンツ流通センタ１００に登録する（ステップ（１２）及び（１３））。この使用権購入の際に広告主Ａ（３００）は、広告を放送する地域及び期間の情報を合わせて登録する。コンテンツ流通センタ１００は、広告主Ａ（３００）から番組コンテンツ２１０の使用料を受け取り、コンテンツホルダ２００に対して使用料を支払う（ステップ（１４））。このようにして、登録された放送用番組に対して広告が組み合わされると、広告付き完全パッケージ１１０が構成される。
【００１５】
放送局５００は、自局の放送予定に基づきコンテンツ流通センタ１００に対して広告付き完全パッケージ番組の配信要求を行う。この配信要求には、少なくとも広告付き完全パッケージ番組を識別する情報と放送局５００を識別する情報と放送予定時間に関する情報を含む。コンテンツ流通センタ１００では、例えば放送局５００の放送地域と広告付き完全パッケージ番組１１０に組み込まれている広告について設定された放送地域とに矛盾が無く、放送予定時間と広告付き完全パッケージ番組１１０に組み込まれている広告について設定された放送期間とに矛盾が無いことを確認する。さらに、配信要求に係る広告付き完全パッケージ番組に既に配信予定が登録されている場合には、当該配信予定に係る放送地域及び放送時間が今回の配信要求に係る放送地域及び放送時間とコンフリクトが生じているか確認する。
【００１６】
もし、コンテンツ流通センタ１００における上記のような確認において問題が無いと判断される場合には、配信要求に係る広告付き完全パッケージ番組１１０の情報を放送局５００に無償で配信する（ステップ（１５））。コンテンツ流通センタ１００による配信は、番組コンテンツ２１０の広告部分（広告時間帯）に広告コンテンツ３１０を組み入れた形で行われる。放送局５００は、配信を受けた広告付き完全パッケージ番組１１０を単純に放送すればよい。但し、放送局５００は広告付き完全パッケージ番組１１０を放送しただけでは、収入を得ることはできない。
【００１７】
このため放送局５００は、例えば番組広告枠５１０を設定して、コンテンツ流通センタ１００に登録する（ステップ（１６））。例えば番組広告枠５１０は、バナー広告の枠のようなものである。但し、これに限定されるものではない。これに対して広告主Ｂ（４００）は、番組広告枠５１０の購入を行い、そのための番組枠広告コンテンツ４１０をコンテンツ流通センタ１００に登録する（ステップ（１７）及び（１８））。コンテンツ流通センタ１００に対して支払われた番組広告枠５１０のための広告料は、放送局５００に対して支払われる（ステップ（１９））。また、コンテンツ流通センタ１００は、番組広告枠５１０に対して登録された番組枠広告コンテンツ４１０を放送局５００に配信する（ステップ（２０））。
【００１８】
なお、番組広告枠５１０の販売については、コンテンツ流通センタ１００において行っても良いし、放送局５００自身で行っても良い。そのため図１では、番組広告枠５１０及び番組枠広告コンテンツ４１０を囲う部分が点線になっている。
【００１９】
このようにして放送局５００は、広告付き完全パッケージ番組１１０の放送用情報及び番組枠広告コンテンツの情報をアンテナ５２０を介して放送する（ステップ（２１））。視聴者宅６００では、ディジタル放送受信機６１０が、アンテナ６２０を介して広告付き完全パッケージ番組１１０の放送用情報及び番組枠広告コンテンツの情報を受信する。そして、ディジタル放送受信機６１０のスクリーンに例えば図２のような表示を行う。図２では、広告付き完全パッケージ番組の表示部６１１と、番組枠広告１の表示部６１２と、番組枠広告２の表示部６１３とが設けられている。このように表示部を分けて番組枠広告１及び２を表示するような態様であってもよい。なお、番組コンテンツの全ての広告部分（広告時間帯）に広告コンテンツを挿入しないで、完全パッケージ番組の一部の広告時間に放送局５００独自の広告を挿入できるような形にしておき、番組枠広告１及び２をその広告時間に挿入するような構成であってもよい。
【００２０】
図３により具体的な例を示す。図３の例では、コンテンツホルダＡは、番組Ａをコンテンツ流通センタに登録する。但し、登録するだけではコンテンツホルダＡは使用料を得ることはできない。コマーシャル広告主１は、番組Ａの使用権を購入し、コマーシャル１−１及びコマーシャル１−２を番組Ａに対して登録する。この際コマーシャル広告主１は、コンテンツ流通センタに２００万円を番組Ａの使用料として支払う。なお、この際コマーシャル１−１には、全国放送用として地域コード０００が登録される。一方、コマーシャル１−２は、北海道用として地域コード１００が登録される。ここでは図示しないが、放送期間についても登録される。番組Ａ及びコマーシャル１−１並びにコマーシャル１−２により広告付き完全パッケージ番組Ａが構成される。なお、番組Ａとコマーシャル１−１との組み合せを広告付き完全パッケージ番組Ａ−１、番組Ａとコマーシャル１−２との組み合せを広告付き完全パッケージ番組Ａ−２、と区別するような構成であってもよい。番組Ａに対してコマーシャル１−１及び１−２が登録されたので、コンテンツホルダＡには、１６０万円が使用料として支払われる。残りの４０万円は、例えば手数料としてコンテンツ流通センタが受け取る。
【００２１】
またコンテンツホルダＢは、番組Ｂ−１及び番組Ｂ−２を登録する。これに対してコマーシャル広告主２は、コマーシャル２−１を番組Ｂ−１に対して登録する。この際コマーシャル広告主２は、コンテンツ流通センタに１００万円を番組Ｂ−１の使用料として支払う。この際コマーシャル２−１には、全国放送用として地域コード０００が登録される。ここでは図示しないが、放送期間についても登録される。番組Ｂ−１及びコマーシャル２−１により広告付き完全パッケージ番組Ｂ−１が構成される。番組Ｂ−１に対してコマーシャル２−１が登録されたので、コンテンツホルダＢには、８０万円が使用料として支払われる。但し、番組Ｂ−２にはコマーシャルが登録されていないので、番組Ｂ−２に対して支払いは行われない。残りの２０万円は、例えば手数料としてコンテンツ流通センタが受け取る。
【００２２】
広告付き完全パッケージ番組が構成されると、放送局に公開され、所定の条件が満たされれば、放送局の配信要求に従って、無償で広告付き完全パッケージ番組に係る放送用番組のコンテンツ情報及びコマーシャルに係る広告コンテンツ情報が放送局に配信される。ここでは、放送局であるメディア１が広告付き完全パッケージ番組Ａについての配信要求を行った場合を示している。メディア１は、地域コード１００（北海道）、放送予定日２００１／０４／０３、放送予定時間２０：００から２０：５４という番組枠１での放送を予定している。広告付き完全パッケージ番組Ａのコマーシャル１−２については、地域コード１００（北海道）も放送地域として登録されており、図示されていないが放送期間も放送予定日を含んでいるため、メディア１への広告付き完全パッケージ番組Ａの配信は許可される。
【００２３】
また、放送局であるメディア２が広告付き完全パッケージ番組Ａについての配信要求を行った場合も示されている。メディア２は、地域コード０００（全国）、放送予定日２００１／０５／０３、放送予定時間１６：００から１６：５４という番組枠２での放送を予定している。広告付き完全パッケージ番組Ａのコマーシャル１−１については、地域コード０００（全国）も放送地域として登録されており、図示されていないが放送期間も放送予定日を含んでいるため、メディア２への広告付き完全パッケージ番組Ａの配信は許可される。
【００２４】
一方、放送局であるメディア３が広告付き完全パッケージ番組Ａについての配信要求を行った場合も示されている。メディア３は、地域コード１００（北海道）、放送予定日２００１／０４／０４、放送予定時間１６：００から１６：５４という番組枠３での放送を要求した。広告付き完全パッケージ番組Ａのコマーシャル１−２については、地域コード１００（北海道）も放送地域として登録されており、図示されていないが放送期間も放送予定日を含んでいるため、メディア３への広告付き完全パッケージ番組Ａの配信のための第１の条件は満たされていることが分かる。しかし、メディア１による広告付き完全パッケージ番組Ａについての先行する配信予約があるため、放送予定日を比較すると、４月３日と４月４日で近接していることがわかる。本実施の形態では例えば７日以内の同一番組の放送は放送日のコンフリクトが生じているものとして、後の配信要求を許可しない。すなわち、メディア３の配信要求は許可されず、広告付き完全パッケージ番組Ａに係る放送用情報はメディア３には送信されない。
【００２５】
放送局であるメディア４は、広告付き完全パッケージ番組Ｂについての配信要求をコンテンツ流通センタに対して行う。メディア４は、東北を表す地域コード２００、放送予定日２００１／０５／２８、放送予定時間９：００から９：５４という番組枠４での放送を要求している。広告付き完全パッケージ番組Ｂのコマーシャル２−１については、全国を表す地域コード０００も放送地域として登録されており、図示されていないが放送期間も放送予定日に含まれているため、メディア４への広告付き完全パッケージ番組Ｂの配信は許可される。
【００２６】
放送局は、広告付き完全パッケージ番組の無償配信を受けるだけではなく、コンテンツ流通センタを介して番組広告枠の販売を行うことも可能である。図３の例では番組枠ごとに２つの番組広告枠が設定されているものとする。番組枠広告主３は、メディア１による広告付き完全パッケージ番組Ａの放送に設定された第１の番組広告枠を購入し、広告料としてコンテンツ流通センタに１００万円支払う。また、その番組広告枠において放送するための番組枠広告３をコンテンツ流通センタに登録する。番組枠広告３のコンテンツ情報は、コンテンツ流通センタからメディア１に送信される。
【００２７】
番組枠広告主７は、メディア１による広告付き完全パッケージ番組Ａの放送に設定された第２の番組広告枠を購入し、広告料としてコンテンツ流通センタに５０万円支払う。また、その番組広告枠において放送するための番組枠広告７をコンテンツ流通センタに登録する。番組枠広告７のコンテンツ情報は、コンテンツ流通センタからメディア１に送信される。なお、広告料として１５０万円がメディア１へ支払われる。
【００２８】
同じように、番組枠広告主４は、メディア２による広告付き完全パッケージ番組Ａの放送に設定された第１の番組広告枠を購入し、広告料としてコンテンツ流通センタに５０万円支払う。また、その番組広告枠において放送するための番組枠広告４をコンテンツ流通センタに登録する。番組枠広告４のコンテンツ情報は、コンテンツ流通センタからメディア２に送信される。
【００２９】
番組枠広告主８は、メディア２による広告付き完全パッケージ番組Ａの放送に設定された第２の番組広告枠を購入し、広告料としてコンテンツ流通センタに２５万円支払う。また、その番組広告枠において放送するための番組枠広告８をコンテンツ流通センタに登録する。番組枠広告８のコンテンツ情報は、コンテンツ流通センタからメディア２に送信される。
【００３０】
番組枠広告主５及び８は、メディア３の番組枠３に設定された番組広告枠を購入し、コンテンツ流通センタにそれぞれ番組枠広告５及び８を登録する。但し、メディア３は番組枠３で放送する広告付き完全パッケージ番組がまだ決定されていない。この場合、番組広告枠の購入予約だけをコンテンツ流通センタが受け付けておき、完全パッケージ番組が決定した後に、予約を有効として番組枠広告主５及び８からの支払いや、番組枠広告の登録を行うようにしてもよい。
【００３１】
番組枠広告主６は、メディア４による広告付き完全パッケージ番組Ｂの放送に設定された第１の番組広告枠を購入し、広告料としてコンテンツ流通センタに５０万円支払う。また、その番組広告枠において放送するための番組枠広告６をコンテンツ流通センタに登録する。番組枠広告６のコンテンツ情報は、コンテンツ流通センタからメディア４に送信される。
【００３２】
番組枠広告主９は、メディア４による広告付き完全パッケージ番組Ｂの放送に設定された第２の番組広告枠を購入し、広告料としてコンテンツ流通センタに５０万円支払う。また、その番組広告枠において放送するための番組枠広告９をコンテンツ流通センタに登録する。番組枠広告９のコンテンツ情報は、コンテンツ流通センタからメディア４に送信される。
【００３３】
なお図１についての説明でも述べたように、各放送局は番組広告枠の販売をコンテンツ流通センタに委託せず、自ら販売するような構成であってもよい。
【００３４】
次に上のようなビジネスモデルを実施する上で使用されるシステムの概要を図４に示す。コンテンツ流通センタ・システム３は、公衆回線網１等のネットワークに接続しており、公衆回線網１には１又は複数のコンテンツホルダ・コンピュータ５と、１又は複数のコマーシャル広告主コンピュータ７と、１又は複数の番組枠広告主コンピュータ９と、１又は複数の放送局コンピュータ２とが接続される。
【００３５】
コンテンツホルダ・コンピュータ５は、コンテンツ流通センタに登録するための放送用番組の番組コンテンツを格納する番組コンテンツ格納部５１を管理している。コマーシャル広告主コンピュータ７は、コンテンツ流通センタに登録するための広告のコンテンツ情報を格納する広告コンテンツ格納部７１を管理している。番組枠広告主コンピュータ９は、コンテンツ流通センタ又は放送局に登録するための番組枠広告のコンテンツ情報を格納する番組枠広告コンテンツ格納部９１を管理している。放送局コンピュータ２は、番組コンテンツの情報及び広告コンテンツの情報を格納するための放送コンテンツ格納部２１と、番組広告枠を管理するための番組広告枠情報格納部２２とを管理している。
【００３６】
コンテンツ流通センタ・システム３は、広告付き完全パッケージ番組を作成するための完全パッケージ番組作成部３１と、ＶＯＤ（Video On Demand）サーバを含み且つ広告付き完全パッケージ番組を放送局コンピュータ２に配信するための完全パッケージ番組配信部３２と、番組広告枠の登録・販売などについての処理を行う番組広告枠処理部３３とを含む。また、広告主に対する請求やコンテンツプロバイダへの支払い関係を記録する料金ＤＢ３４と、登録された番組枠広告のコンテンツ情報を格納する番組枠広告コンテンツ格納部３５と、番組広告枠に関する情報を格納する番組広告枠データベース（ＤＢ）３６と、登録された放送用番組についての情報を格納する完全パッケージ番組情報ＤＢ３７と、登録された広告のコンテンツ情報を格納する広告コンテンツ格納部３８と、登録された放送用番組のコンテンツ情報を格納する番組コンテンツ格納部３９とを管理している。
【００３７】
図４に示したシステムの動作を図５乃至図１０を用いて説明する。図５は、主にコンテンツ流通センタ・システム３の完全パッケージ番組作成部３１の処理フローである。最初に、完全パッケージ番組作成部３１が、番組コンテンツの登録を行う（ステップＳ１）。番組コンテンツは、番組コンテンツ格納部３９に格納される。ここでは、コンテンツホルダ・コンピュータ５が番組コンテンツ格納部５１から読み出した番組コンテンツを、完全パッケージ番組作成部３１が公衆回線網１等を介して受信するようにしてもよい。また、オフラインにてコンテンツホルダから得た番組コンテンツを完全パッケージ番組作成部３１により番組コンテンツ格納部３９に格納するような構成であってもよい。
【００３８】
なお、番組コンテンツだけではなく、完全パッケージ番組作成部３１は、例えば、完全パッケージ番組情報ＤＢ３７に、コンテンツホルダＩＤ及び番組ＩＤを含む番組情報を登録する。例えば番組ＩＤを用いて番組コンテンツ格納部３９に格納された番組コンテンツを特定する。完全パッケージ番組情報ＤＢ３７の一例を図６に示す。図６の例では、番組情報としてコンテンツホルダＩＤ及び番組ＩＤが格納される。また、広告情報として、ある広告主が番組コンテンツの使用権を購入した場合には、広告主ＩＤ、放送地域コード、放送期間、広告コンテンツＩＤが格納される。また、広告付き完全パッケージ番組が構成された場合には、広告付き完全パッケージ番組のＩＤが割り振られ、当該ＩＤが格納される。さらに、放送局から配信要求を受けて配信許可が出た場合には、配信要求１の情報として、放送局ＩＤ、放送地域、放送予定日時に情報が格納される。複数の配信要求に配信許可が出た場合には、配信要求の情報は複数格納されるようになっている。なお、番組情報として他にコンテンツホルダ名や番組コンテンツの説明などの情報を含めるようにしても良い。
【００３９】
番組コンテンツが登録されると、当該番組コンテンツは少なくともその一部が公開されて、コマーシャル広告主に対して公開される。これによりコマーシャル広告主は購入すべき放送用番組を探し出すことができるようになる。番組コンテンツの公開は、例えばコンテンツ流通センタ・システム３のＷｅｂサーバ（図示せず）にて行う場合もある。
【００４０】
次に、完全パッケージ番組作成部３１は、コマーシャル広告主による任意の番組の使用権購入申し込みを受け付けて、購入番組に対応して広告コンテンツＩＤ、放送地域コード及び放送期間情報を登録する（ステップＳ３）。例えば、コンテンツ流通センタ・システム３のＷｅｂサーバ（図示せず）にてコマーシャル広告主コンピュータ７から番組の使用権購入申し込みを受け付け、コマーシャル広告主コンピュータ７から公衆回線網１等を介して広告コンテンツＩＤ、放送地域コード及び放送期間情報を受信し、それを完全パッケージ番組作成部３１にて完全パッケージ番組情報ＤＢ３７に登録するような構成であっても良い。但し、オフラインにて番組の使用権購入申し込みを受け付け、完全パッケージ番組作成部３１により広告コンテンツＩＤ、放送地域コード及び放送期間情報を完全パッケージ番組情報ＤＢ３７に登録するようにしても良い。広告コンテンツＩＤにて広告のコンテンツ情報を特定する。図６の例では、広告主ＩＤをも登録するようになっている。また、広告付き完全パッケージ番組のＩＤも割り振られ、完全パッケージ番組情報ＤＢ３７に格納される。
【００４１】
そして、完全パッケージ番組作成部３１は、広告コンテンツを広告コンテンツ格納部３８に格納する（ステップＳ５）。例えば、コマーシャル広告主コンピュータ７が広告コンテンツ格納部７１から読み出した広告コンテンツ情報を、公衆回線網１等を介して完全パッケージ番組作成部３１が受信して、広告コンテンツ格納部３８に格納するような場合もある。一方、オフラインにて広告コンテンツをコマーシャル広告主から受け取り、完全パッケージ番組作成部３１にて広告コンテンツ格納部３８に登録するような構成であってもよい。
【００４２】
そして、コンテンツ流通センタ・システム３にて、コマーシャル広告主により購入された番組について広告付き完全パッケージ番組として放送局に対して公開し、配信要求を受け付ける（ステップＳ７）。例えば、コンテンツ流通センタ・システム３にて、広告付き完全パッケージ番組を検索可能な状態におき、放送局が所望の広告付き完全パッケージ番組を見つけることができるようにする。例えば、放送期間、放送地域、広告主、番組内容などにより検索できるようにする。
【００４３】
このようにして広告付き完全パッケージ番組が構成され、放送局に対して公開される。放送局は、以下で説明する条件が満たされれば、選択した広告付き完全パッケージ番組の配信を受けられるようになる。
【００４４】
図７を用いて主にコンテンツ流通センタ・システム３の完全パッケージ番組配信部３２の処理フローを説明する。最初に、完全パッケージ番組配信部３２は、放送局コンピュータ２から、放送局ＩＤ、選択した広告付き完全パッケージ番組のＩＤ及び放送予定日時の情報（又は番組枠の情報）を含む配信要求を受信する（ステップＳ１１）。受信した配信要求の情報は記憶装置に一旦格納される。なお、放送局コンピュータ２から公衆回線網１等を介して配信要求を受信するのではなく、オフラインにて配信要求を受け取り、完全パッケージ番組配信部３２に入力するような場合もある。また、配信要求に放送地域の情報を含める場合もある。但し、コンテンツ流通センタ・システム３に、各放送局の放送地域の情報を予め登録しておけば、配信要求に放送地域の情報を含める必要は無い。
【００４５】
次に、完全パッケージ番組配信部３２は、配信要求を行った放送局の放送地域と配信要求に係る広告付き完全パッケージ番組に設定されている広告の放送地域コード、配信要求にて指定された放送予定日時と配信要求に係る広告付き完全パッケージ番組に設定されている広告の放送期間情報を比較する（ステップＳ１３）。もし、配信要求に係る広告付き完全パッケージ番組に設定されている広告の放送地域コードが放送局の放送地域と一致しない又は放送局の放送地域を含まない場合（ステップＳ１５：Ｎｏルート）、配信要求に係る広告付き完全パッケージ番組に設定されている広告の放送期間情報が配信要求にて指定された放送予定日時と一致しない又は放送予定日時を含まない場合には、当該広告付き完全パッケージ番組を配信要求に係る放送局に配信することは不可能であるので、放送局へ配信不可を通知する（ステップＳ２５）。配信不可通知は、例えば公衆回線網１等を介して放送局コンピュータ２に送信するような構成であってもよいし、他の手段にて放送局に配信不可を通知しても良い。
【００４６】
もし、配信要求に係る広告付き完全パッケージ番組に設定されている広告の放送地域コードが放送局の放送地域と一致する又は放送局の放送地域を包含し、且つ配信要求に係る広告付き完全パッケージ番組に設定されている広告の放送期間情報が配信要求にて指定された放送予定日時と一致する又は放送予定日時を包含する場合（ステップＳ１５：Ｙｅｓルート）、完全パッケージ番組配信部３２は、同一広告付き完全パッケージ番組について、同一地域について既に配信要求が登録されており且つ本配信要求に係る放送予定日時が配信予約の放送日時から所定日時以内であるかを確認する（ステップＳ１７）。例えば、図６のような完全パッケージ番組情報ＤＢ３７が用意されている場合には、先行する配信要求の放送地域の情報と放送予定日時の情報を用いてステップＳ１７の確認を実施する。
【００４７】
もし、ステップＳ１７の条件が満たされている、すなわち配信要求同士にコンフリクトが生じている場合（ステップＳ１９：Ｙｅｓルート）には、ステップＳ２５に移行する。一方、ステップＳ１７の条件が満たされない、すなわち配信要求同士にコンフリクトが生じていない場合（ステップＳ１９：Ｎｏルート）には、完全パッケージ番組配信部３２は、完全パッケージ番組情報ＤＢ３７に、受信した配信要求を登録する（ステップＳ２１）。図６の例では、配信要求に係る放送局ＩＤと放送地域と放送予定日時とが登録される。そして、所定のタイミングにて、完全パッケージ番組配信部３２に含まれるＶＯＤサーバが、放送局コンピュータ２に公衆回線網１等を介して、配信要求に係る広告付き完全パッケージ番組の番組コンテンツ及び広告コンテンツを配信する（ステップＳ２３）。なお、番組コンテンツには、ところどころ広告コンテンツを挿入する時間帯が設けられているので、ＶＯＤサーバはその時間帯に広告コンテンツを挿入しながら、番組コンテンツ及び広告コンテンツを放送局コンピュータ２に配信する。
【００４８】
放送局コンピュータ２は、番組コンテンツ及び広告コンテンツをＶＯＤサーバから受信し、放送コンテンツ格納部２１に格納する。そして、放送予定日時に放送コンテンツ格納部２１から番組コンテンツ及び広告コンテンツを読み出して放送を行う。
【００４９】
このように放送局は、所定の条件を満たす場合には、コンテンツ流通センタから広告付き完全パッケージ番組の提供を受けることができるようになり、コンテンツ不足に対処することができる。
【００５０】
次に図８を用いてコンテンツ流通センタが放送局の番組広告枠の販売を行う場合の完全パッケージ番組配信部３２及び番組広告枠処理部３３の処理フローの一例を説明する。最初に、番組広告枠処理部３３は、放送局から販売する番組広告枠の登録を受け付ける（ステップＳ３１）。例えば、放送局コンピュータ２から公衆回線網１等を介して、番組広告枠情報として放送局ＩＤ、放送予定日時、放送地域及び広告付き完全パッケージ選択権の有り無しを示すフラグの情報を受信する。また、オフラインで放送局から番組広告枠の情報を受け取るような構成であってもよい。番組広告枠処理部３３は、番組広告枠ＤＢ３６に放送局ＩＤ及び番組広告枠情報を登録する。番組広告枠が登録されると番組枠広告主に公開され、販売に供される。
【００５１】
図９に、番組広告枠ＤＢ３６に格納されるデータの一例を示す。この例では、番組広告枠情報として放送局ＩＤと番組広告枠ＩＤと放送予定日時と放送地域と広告付き完全パッケージ番組選択権有り無しを表すフラグと、広告情報として広告主ＩＤと番組枠広告コンテンツＩＤとが格納される。番組広告枠ＩＤについては、番組広告枠処理部３３が登録時に割り当てるような構成であってもよい。広告付き完全パッケージ番組選択権とは、番組広告枠を購入することにより、合わせて放送される広告付き完全パッケージ番組を選択することができる権利である。
【００５２】
次に、番組広告枠処理部３３は、番組枠広告主から任意の番組広告枠購入申し込みを受け付ける（ステップＳ３３）。番組広告枠購入申し込みには、例えば番組広告枠ＩＤと広告主ＩＤと番組枠広告コンテンツを特定するための番組枠広告コンテンツＩＤとを含む。そして、番組広告枠処理部３３は、購入申し込みに係る番組広告枠が空いているかを判断する（ステップＳ３５）。例えば、番組広告枠ＤＢ３６を検索して、購入申し込みに係る番組広告枠ＩＤに対応して広告情報が既に格納されているかを確認する。もし、既に広告情報が格納されている場合には、別の広告枠を選択すべくステップＳ３３に戻る。一方、購入申し込みに係る番組広告枠が空いている場合には、番組広告枠処理部３３は、購入された番組広告枠に対応して広告主ＩＤ及び番組枠広告コンテンツＩＤを、番組広告枠ＤＢ３６に登録する（ステップＳ３７）。そして、番組枠広告コンテンツＩＤに係る番組枠広告コンテンツの情報を、例えば番組枠広告主コンピュータ９から公衆回線網１等を介して受信し、番組枠広告コンテンツ格納部３５に登録する（ステップＳ３９）。
【００５３】
そして、番組広告枠処理部３３は、購入された番組広告枠に広告付き完全パッケージ番組選択権が付いているか確認する（ステップＳ４１）。もし、広告付き完全パッケージ番組選択権が付されていない場合には、図７に示した完全パッケージ番組配信部３２による完全パッケージ番組配信処理を実施する（ステップＳ４３）。
【００５４】
一方、購入された番組広告枠に広告付き完全パッケージ番組選択権が付加されていた場合には、完全パッケージ番組配信部３２は、番組枠広告主から、選択した広告付き完全パッケージ番組のＩＤを含む配信要求を受信する（ステップＳ４７）。配信要求については、番組枠広告主コンピュータ９から公衆回線網１等を介して受信するようにしても良い。また、オフラインにて受け取り、完全パッケージ番組配信部３２に入力するようにしても良い。なお、ステップＳ３３から連続した処理として配信要求がなされる場合には、いつだれがどこで放送するのかといった情報（放送局ＩＤ、放送地域及び放送予定日時の情報）は、番組広告枠ＤＢ３６から明らかである。しかし、例えばステップＳ３９で一旦処理が終了するような場合には、ステップＳ４７の配信要求にも放送局ＩＤ、放送地域及び放送予定日時の情報を含める必要がある。
【００５５】
次に、完全パッケージ番組配信部３２は、番組広告枠の放送地域（番組広告枠ＤＢ３６から取得）と配信要求に係る広告付き完全パッケージ番組に設定された広告の放送地域コード、番組広告枠の放送予定日時と配信要求に係る広告付き完全パッケージ番組に設定されている広告の放送期間情報を比較する（ステップＳ４９）。もし、配信要求に係る広告付き完全パッケージ番組に設定されている広告の放送地域コードが放送局の放送地域と一致しない又は番組広告枠の放送地域を含まない場合、配信要求に係る番組に設定されている広告の放送期間情報が番組広告枠の放送予定日時と一致しない又は放送予定日時を含まない場合（ステップＳ５１：Ｎｏルート）には、当該広告付き完全パッケージ番組を配信要求に係る放送局に配信することは不可能であるので、配信不可を通知する（ステップＳ６１）。配信不可通知は、例えば公衆回線網１等を介して番組枠広告主コンピュータ９に送信するような構成であってもよいし、他の手段にて番組枠広告主に配信不可を通知しても良い。
【００５６】
もし、配信要求に係る番組に設定されている広告の放送地域コードが番組広告枠の放送地域と一致する又は番組広告枠の放送地域を包含し、且つ配信要求に係る番組に設定されている広告の放送期間情報が番組広告枠の放送予定日時と一致する又は放送予定日時を包含する場合（ステップＳ５１：Ｙｅｓルート）、完全パッケージ番組配信部３２は、同一広告付き完全パッケージ番組について、同一地域について既に配信要求が登録されており且つ本配信要求に係る放送予定日時が既登録の配信要求の放送日時から所定日時以内であるかを確認する（ステップＳ５３）。例えば、図６のような完全パッケージ番組情報ＤＢ３７が用意されている場合には、先行する配信要求の放送地域の情報と放送予定日時の情報を用いてステップＳ５３の確認を実施する。
【００５７】
もし、ステップＳ５３の条件が満たされている、すなわち配信要求同士にコンフリクトが生じている場合には、ステップＳ６１に移行する（ステップＳ５５：Ｙｅｓルート）。一方、ステップＳ５３の条件が満たされない、すなわち配信要求同士にコンフリクトが生じていない場合には（ステップＳ５５：Ｎｏルート）、完全パッケージ番組配信部３２は、完全パッケージ番組情報ＤＢ３７に、受信した配信要求を登録する（ステップＳ５７）。図６の例では、配信要求に関連する番組広告枠の放送局ＩＤと放送地域と放送予定日時とが登録される。そして、所定のタイミングにて、完全パッケージ番組配信部３２に含まれるＶＯＤサーバが、放送局コンピュータ２に公衆回線網１等を介して、配信要求に係る広告付き完全パッケージ番組の番組コンテンツ及び広告コンテンツを配信する（ステップＳ５９）。なお、番組コンテンツには、ところどころ広告コンテンツを挿入する時間帯が設けられているので、ＶＯＤサーバはその時間帯に広告コンテンツを挿入しながら、番組コンテンツ及び広告コンテンツを放送局コンピュータ２に配信する。
【００５８】
そしてステップＳ４３又はステップＳ５９後に放送局コンピュータ２に、番組枠広告コンテンツを番組枠広告コンテンツ格納部３５から抽出し、所定のタイミングにて配信する（ステップＳ４５）。放送局コンピュータ２は、番組コンテンツ及び広告コンテンツを受信し、さらに番組枠広告コンテンツを受信し、放送コンテンツ格納部２１に格納する。そして、放送予定日時にそれらの情報を放送する。
【００５９】
このようにすれば、放送局はコンテンツ流通センタにより広く番組広告枠を販売することができ、自己の収益を増加させることができるようになる。また、新たな広告主を得ることができるようになる。
【００６０】
次に図１０を用いて番組広告枠を放送局にて販売する場合の放送局における処理フローを説明する。放送局では、図８で説明したのと同様に広告付き完全パッケージ番組選択権付きの場合もある番組広告枠を販売する（ステップＳ７１）。販売は放送局コンピュータ２を用いて販売する場合もあれば、他の手段にて販売する場合もある。次に、番組枠広告主から任意の番組広告枠購入申し込みを受け付ける（ステップＳ７３）。この処理についても、例えば番組枠広告主コンピュータ９から公衆回線網１等を介して、例えば番組広告枠ＩＤと広告主ＩＤと番組枠広告コンテンツを特定するための番組枠広告コンテンツＩＤとを含む番組広告枠購入申し込みを受信するような構成であってもよい。又は、別の手段で受け付けるような場合があっても良い。
【００６１】
そして、放送局コンピュータ２は、購入申し込みに係る番組広告枠が空いているかを判断する（ステップＳ７５）。例えば放送局ＩＤを除き番組広告枠ＤＢ３６と同様な内容を格納する番組広告枠情報格納部２２を検索して、購入申し込みに係る番組広告枠ＩＤに対応して広告情報が既に格納されているかを確認する。もし、既に広告情報が格納されている場合には、別の広告枠を選択すべくステップＳ７１に戻る。一方、購入申し込みに係る番組広告枠が空いている場合には、放送局コンピュータ２は、購入された番組広告枠に対応して広告主ＩＤ及び番組枠広告コンテンツＩＤを、番組広告枠情報格納部２２に登録する（ステップＳ７７）。そして、番組枠広告コンテンツＩＤに係る番組枠広告コンテンツの情報を、例えば番組枠広告主コンピュータ９から公衆回線網１等を介して受信し、放送コンテンツ格納部２１に登録する（ステップＳ７９）。
【００６２】
放送局コンピュータ２は、購入された番組広告枠に広告付き完全パッケージ番組選択権付きであるか否かを確認する（ステップＳ８１）。これは番組広告枠情報格納部２２の広告付き完全パッケージ番組選択権有り無しを表すフラグがオンになっているか否かで確認することができる。もし、広告付き完全パッケージ番組選択権付きではない場合には、放送局ＩＤ、放送局により選択された広告付き完全パッケージ番組のＩＤ及び放送予定の日時情報を含む配信要求をコンテンツ流通センタ・システム３に送信する（ステップＳ９５）。コンテンツ流通センタ・システム３では、完全パッケージ番組配信部３２が配信可能かを判断する（ステップＳ９７）。配信不可能であれば、放送局コンピュータ２は、コンテンツ流通センタ・システム３から配信不可通知を受信する（ステップＳ９９）。配信不可通知を受信した場合には、再度広告付き完全パッケージ番組を選択して配信要求を送信するためにステップＳ９５に戻る。
【００６３】
一方、配信要求に対してその配信要求に係る広告付き完全パッケージ番組が配信可能であれば、放送局コンピュータ２は、コンテンツ流通センタ・システム３のＶＯＤサーバから、配信要求の広告付き完全パッケージ番組に係る番組コンテンツ及び広告コンテンツを所定のタイミングで受信し、放送コンテンツ格納部２１に格納する（ステップＳ９１）。なお、このステップＳ９１の前にコンテンツ流通センタ・システム３から配信許可通知を受信する場合もある。そして、放送予定日時に、放送局は、番組枠広告コンテンツ、番組コンテンツ及び広告コンテンツを放送する（ステップＳ９３）。
【００６４】
一方、広告付き完全パッケージ番組選択権付きである場合には、番組枠広告主コンピュータ９から広告付き完全パッケージ番組の選択指示を受信する（ステップＳ８３）。これに応じて、放送局ＩＤ、番組枠広告主により選択指示された広告付き完全パッケージ番組のＩＤ及び放送予定の日時情報を含む配信要求をコンテンツ流通センタ・システム３に送信する（ステップＳ８５）。コンテンツ流通センタ・システム３では、完全パッケージ番組配信部３２が配信可能かを判断する（ステップＳ８７）。配信不可能であれば、放送局コンピュータ２は、コンテンツ流通センタ・システム３から配信不可通知を受信する（ステップＳ８９）。配信不可通知を受信した場合には、番組枠広告主に再度広告付き完全パッケージ番組を選択してもらうためにステップＳ８３に戻る。もし、配信可能であればステップＳ９１に移行する。
【００６５】
このようにすることにより、放送局は自ら番組広告枠を販売することができ、それによる収入を得ることができるようになる。また、広告付き完全パッケージ番組の配信を受けることができるため、番組コンテンツ不足を補い且つ経費削減もできるようになる。
【００６６】
以上説明した本実施の形態は一例であって様々な変形が可能である。例えば図４に示したシステム概要であるが、コマーシャル広告主コンピュータ７と番組枠広告主コンピュータ９を異なるように示しているが、同じである場合もある。また、各コンピュータはインターネットを介して接続する場合もある。コンテンツ流通センタ・システム３は、１台のコンピュータに上で述べたような機能を実現する場合もあれば、複数台のコンピュータにて上で述べたような機能を実現する場合もある。さらに、データベースや記憶装置の分け方は、説明の都合上示したものであって、必ずしもこのような分け方にする必要は無い。コンテンツ流通センタ・システム３における機能モジュールについても一例であって、必ずしもこのような分け方をする必要は無い。図６及び図９に示したデータも一例であって、より多くの種類のデータを格納するような構成であってもよい。
【００６７】
図８及び図１０においては、先に番組広告枠の番組枠広告主を決定してから、その番組広告枠のための広告付き完全パッケージ番組を決定するような処理フローとなっているが、先に番組広告枠のための広告付き完全パッケージ番組を決定してから番組広告枠の番組広告主を決定するような処理フローであってもよい。また、図８及び図１０では、番組広告枠を販売する場合の処理フローを示しているが、番組広告枠を販売しない場合には、そのためのステップをスキップした形で処理が実施される。
【００６８】
また、図７及び図８では、先行する配信要求と本配信要求とが放送地域及び放送日時について競合している場合に本配信要求に係る広告付き完全パッケージ番組の配信を許可しないという実施態様を示したが、例えばその広告付き完全パッケージ番組の広告コンテンツを複数用意し、競合が生じた場合には異なる広告コンテンツを番組コンテンツに挿入して配信するような構成にしてもよい。
【００６９】
なお、上記のような処理フローをコンピュータに実施させるためのプログラムを生成することができ、このプログラムは、例えばフレキシブルディスク、ＣＤ−ＲＯＭ、光磁気ディスク、半導体メモリ、ハードディスク等の記憶媒体又は記憶装置に格納される。また、ネットワークなどを介して配布される場合もある。尚、中間的な処理結果はコンピュータのメモリに一時保管される。
【００７０】
（付記１）
放送用番組を登録するステップと、
広告主が選択した任意の放送用番組に対応して前記広告主により特定された放送地域情報と放送期間情報と広告に関する情報とを登録することにより、広告付き完全パッケージ番組を構成するステップと、
少なくとも前記広告付き完全パッケージ番組の識別情報と放送局の識別情報と放送予定時間に関する情報とを含む配信要求を受け取った場合に、当該配信要求が放送地域及び放送期間に関する条件を満たしているか判断する判断ステップと、
前記判断ステップにおいて前記条件が満たされていると判断された場合には、前記配信要求において指定された前記放送局に対する、前記配信要求において指定された前記広告付き完全パッケージ番組の提供を決定するステップと、
を含む広告付き完全パッケージ番組提供方法。
【００７１】
（付記２）
前記放送地域及び放送期間に関する条件が、
前記配信要求に含まれる前記放送予定時間に関する情報が前記配信要求において指定された前記広告付き完全パッケージ番組に対応して登録された放送期間情報に対して矛盾せず、且つ前記配信要求に係る放送局の放送地域が前記配信要求において指定された前記広告付き完全パッケージ番組に対応して登録された放送地域情報に対して矛盾しないという条件であること
を特徴とする付記１記載の広告付き完全パッケージ番組提供方法。
【００７２】
（付記３）
前記放送地域及び放送期間に関する条件が、
前記配信要求において指定された広告付き完全パッケージ番組に対して既に提供が決定されている先行配信要求が存在する場合、当該先行配信要求に係る放送予定時間及び放送局の放送地域と前記配信要求に係る放送予定時間及び放送局の放送地域とにコンフリクトが生じていないという条件であること
を特徴とする付記１又は２記載の広告付き完全パッケージ番組提供方法。
【００７３】
（付記４）
放送局の番組枠に対応して設けられる広告枠を登録するステップと、
第２の広告主が選択した任意の広告枠に対して当該第２の広告主による広告の情報を登録するステップと、
をさらに含む付記１記載の広告付き完全パッケージ番組提供方法。
【００７４】
（付記５）
前記第２の広告主により前記配信要求に係る広告付き完全パッケージ番組の識別情報が指定される
ことを特徴とする付記４記載の広告付き完全パッケージ番組提供方法。
【００７５】
（付記６）
前記放送用番組のコンテンツ情報を登録するステップと、
前記広告付き完全パッケージ番組に係る広告のコンテンツ情報を登録するステップと、
前記配信要求において指定された前記広告付き完全パッケージ番組に係る前記放送用番組のコンテンツ情報に、対応する前記広告のコンテンツ情報を挿入して、前記配信要求に係る放送局のコンピュータに送信するステップと、
をさらに含む付記１乃至５のいずれか１つ記載の広告付き完全パッケージ番組提供方法。
【００７６】
（付記７）
前記放送用番組のコンテンツ情報を登録するステップと、
前記広告付き完全パッケージ番組に係る広告のコンテンツ情報を登録するステップと、
前記配信要求において指定された前記広告付き完全パッケージ番組に係る前記放送用番組のコンテンツ情報に、対応する前記広告のコンテンツ情報を挿入して、前記配信要求に係る放送局のコンピュータに送信するステップと、
前記配信要求において指定された前記放送予定時間から特定される前記番組枠の前記広告枠に対して登録された広告のコンテンツ情報を、前記配信要求に係る放送局のコンピュータに送信するステップ
をさらに含む付記４記載の広告付き完全パッケージ番組提供方法。
【００７７】
（付記８）
放送用番組と広告が組み合わされた広告付き完全パッケージ番組の識別情報と放送局の識別情報と放送予定時間に関する情報とを含む配信要求を、前記広告付き完全パッケージ番組を提供するコンピュータに送信するステップと、
前記広告付き完全パッケージ番組が配信可能であれば、前記コンピュータから、前記配信要求に係る広告付き完全パッケージ番組に係る前記放送用番組のコンテンツ情報に、対応する前記広告のコンテンツ情報が挿入された放送用情報を受信するステップと、
前記放送用情報を放送するステップと、
を含む広告付き完全パッケージ番組利用方法。
【００７８】
（付記９）
放送局における番組枠に対応して設けられる広告枠のうち、広告主が選択した任意の広告枠に対して当該広告主による広告のコンテンツ情報を登録するステップと、
登録された前記広告のコンテンツ情報を、対応する広告枠で規定された条件に従って放送するステップと、
をさらに含む付記８記載の広告付き完全パッケージ番組利用方法。
【００７９】
（付記１０）
放送用番組を登録するステップと、
広告主が選択した任意の放送用番組に対応して前記広告主により特定された放送地域情報と放送期間情報と広告に関する情報とを登録することにより、広告付き完全パッケージ番組を構成するステップと、
少なくとも前記広告付き完全パッケージ番組の識別情報と放送局の識別情報と放送予定時間に関する情報とを含む配信要求を受け取った場合に、当該配信要求が放送地域及び放送期間に関する条件を満たしているか判断する判断ステップと、
前記判断ステップにおいて前記条件が満たされていると判断された場合には、前記配信要求において指定された前記放送局に対する、前記配信要求において指定された前記広告付き完全パッケージ番組の提供を決定するステップと、
をコンピュータに実行させるためのプログラム。
【００８０】
（付記１１）
放送用番組を登録するステップと、
広告主が選択した任意の放送用番組に対応して前記広告主により特定された放送地域情報と放送期間情報と広告に関する情報とを登録することにより、広告付き完全パッケージ番組を構成するステップと、
少なくとも前記広告付き完全パッケージ番組の識別情報と放送局の識別情報と放送予定時間に関する情報とを含む配信要求を受け取った場合に、当該配信要求が放送地域及び放送期間に関する条件を満たしているか判断する判断ステップと、
前記判断ステップにおいて前記条件が満たされていると判断された場合には、前記配信要求において指定された前記放送局に対する、前記配信要求において指定された前記広告付き完全パッケージ番組の提供を決定するステップと、
をコンピュータに実行させるためのプログラムを格納した記録媒体。
【００８１】
（付記１２）
放送用番組と広告が組み合わされた広告付き完全パッケージ番組の識別情報と放送局の識別情報と放送予定時間に関する情報とを含む配信要求を、前記広告付き完全パッケージ番組を提供するコンピュータに送信するステップと、
前記広告付き完全パッケージ番組が配信可能であれば、前記コンピュータから、前記配信要求に係る広告付き完全パッケージ番組に係る前記放送用番組のコンテンツ情報に、対応する前記広告のコンテンツ情報が挿入された放送用情報を受信するステップと、
をコンピュータに実行させるためのプログラム。
【００８２】
（付記１３）
放送用番組と広告が組み合わされた広告付き完全パッケージ番組の識別情報と放送局の識別情報と放送予定時間に関する情報とを含む配信要求を、前記広告付き完全パッケージ番組を提供するコンピュータに送信するステップと、
前記広告付き完全パッケージ番組が配信可能であれば、前記コンピュータから、前記配信要求に係る広告付き完全パッケージ番組に係る前記放送用番組のコンテンツ情報に、対応する前記広告のコンテンツ情報が挿入された放送用情報を受信するステップと、
をコンピュータに実行させるためのプログラムを格納した記録媒体。
【００８３】
（付記１４）
広告主に選択された場合に使用料が支払われる条件で放送用番組を登録するステップと、
広告主が選択した任意の放送用番組に対応して前記広告主により特定された放送地域情報と放送期間情報と広告に関する情報とを有償で登録することにより、広告付き完全パッケージ番組を構成するステップと、
少なくとも前記広告付き完全パッケージ番組の識別情報と放送局の識別情報と放送予定時間に関する情報とを含む配信要求を受け取った場合に、当該配信要求が放送地域及び放送期間に関する条件を満たしているか判断する判断ステップと、
前記判断ステップにおいて前記条件が満たされていると判断された場合には、前記配信要求において指定された前記放送局に対する、前記配信要求において指定された前記広告付き完全パッケージ番組の無償提供を決定するステップと、
を含む広告付き完全パッケージ番組提供方法。
【００８４】
【発明の効果】
以上のように、放送局が放送用番組と広告とから構成される広告付き完全パッケージ番組を簡単に調達できるようになる。
【図面の簡単な説明】
【図１】本発明の一実施の形態に係るビジネスモデルを説明するための模式図である。
【図２】ディジタル放送受信機の表示例を示す図である。
【図３】本発明の一実施の形態に係るビジネスモデルを説明するための図である。
【図４】本発明の一実施の形態に係るシステム概要を示す図である。
【図５】コンテンツ流通センタ・システムの処理フロー（その１）の一例を示す図である。
【図６】完全パッケージ番組情報ＤＢ３７に格納されるデータの一例である。
【図７】コンテンツ流通センタ・システムの処理フロー（その２）の一例を示す図である。
【図８】コンテンツ流通センタ・システムの処理フロー（その３）の一例を示す図である。
【図９】番組広告枠ＤＢ３６に格納されるデータの一例である。
【図１０】コンテンツ流通センタ・システムの処理フロー（その４）の一例を示す図である。
【図１１】従来のビジネスモデルを表す図である。
【符号の説明】
１  公衆回線網    ２  放送局コンピュータ
３  コンテンツ流通センタ・システム
５  コンテンツホルダ・コンピュータ
７  コマーシャル広告主コンピュータ
９  番組枠広告主コンピュータ
３１  完全パッケージ番組作成部    ３２  完全パッケージ番組配信部
３３  番組広告枠処理部    ３４  料金ＤＢ
３５，９１  番組枠広告コンテンツ格納部    ３６  番組広告枠ＤＢ
３７  完全パッケージ番組情報ＤＢ
３８，７１  広告コンテンツ格納部
３９，５１  番組コンテンツ格納部
２１  放送コンテンツ格納部    ２２  番組広告枠情報格納部
【図１】
0003883397.tif 000002
【図２】
0003883397.tif 000003
【図３】
0003883397.tif 000004
【図４】
0003883397.tif 000005
【図５】
0003883397.tif 000006
【図６】
0003883397.tif 000007
【図７】
0003883397.tif 000008
【図８】
0003883397.tif 000009
【図９】
0003883397.tif 000010
【図１０】
0003883397.tif 000011
【図１１】
0003883397.tif 000012